(57)【要約】【課題】  家紋等の紋章表示と名前等の名文字表示とが、刺繍により共通の掛張基材に施された記念用旗掛物を、効率的に製作できるようにした新規な記念用旗掛物とその製造方法の開発を技術課題とする。【解決手段】  本発明の記念用旗掛物１は、掛張基材２に対し、紋章表示３と、注文に応じた固有の名文字表示４とが設けられた旗掛物であって、紋章表示３は、掛張基材２とは別体の紋章基材３１に紋章刺繍３２を施した紋章単体３０の表面に形成され、この紋章単体３０が掛張基材２に対し、積層固着部３５において、固定張り付けされており、また積層固着部３５は、掛張基材２を長手方向に巻き取り易くした巻取誘導構造を具えていることを特徴とする。【選択図】図１
2017099454.tif 000002
【特許請求の範囲】
【請求項１】
掛張基材に対し、注文に応じた固有の名文字表示と、紋章表示とが設けられた旗掛物であって、
前記紋章表示は、掛張基材とは別体の紋章基材に紋章刺繍を施した紋章単体の表面に形成され、
この紋章単体が掛張基材に対し、積層固着部において、固定張り付けされていることを特徴とする記念用旗掛物。
【請求項２】
前記積層固着部は、掛張基材を長手方向に巻き取り易くした巻取誘導構造を具えていることを特徴とする請求項１記載の記念用旗掛物。
【請求項３】
前記巻取誘導構造は、掛張基材の巻取方向に直交する方向に沿った接合弱化部を有するものであることを特徴とする請求項２記載の記念用旗掛物。
【請求項４】
前記積層固着部は、接着剤による固着が図られていることを特徴とする請求項１から３のいずれか１項記載の記念用旗掛物。
【請求項５】
掛張基材に対し、注文に応じた固有の名文字表示と紋章表示とを形成した旗掛物を製造する方法であって、
掛張基材に対し、まず名文字表示を設け、
一方、別途紋章表示を掛張基材とは別体の紋章基材に紋章刺繍を施すことにより紋章単体を形成し、次いでこの紋章単体を掛張基材上の適宜の位置に固定張り付けしたことを特徴とする記念用旗掛物の製造方法。
【請求項６】
前記紋章単体を掛張基材上に固定張り付けするにあたっては、接着剤を用い、且つ接着剤の形成範囲は、紋章単体の接着面全面ではなく、一部に接合弱化部を現出させる状態とすることを特徴とする請求項５記載の記念用旗掛物の製造方法。
【発明の詳細な説明】
【技術分野】
【０００１】
本発明は、例えば男児誕生祝いとして用いられる節句用掛物等の記念用旗掛物に関するものである。
【背景技術】
【０００２】
紙や絹などに書や絵画を描き、これを軸物に仕立てて、家の床の間や壁等に掛けて飾る掛物（掛軸）が知られている（例えば特許文献１〜４参照）。
このような掛物は、季節等によって書画の内容が異なるものに掛け替えられたりするが、祝い事が生じた場合あるいは端午の節句・雛の節句等にも、その目的に応じたものに掛け替えられることがある。
【０００３】
特に、男児用の記念用旗掛物は、五月の節句時期に合わせて用意されるものであり、適宜の装飾模様を付した掛張基材に男児の名前を刺繍等により名文字表示したものである。このような記念用旗掛物には、名前等の名文字表示のほかに家紋等の紋章表示を刺繍で形成して欲しいとの要請があるが、手作業による注文生産を前提とした商業レベルで考えると、このような要請には応え切れていないのが実情である。その理由は、家紋等の紋章表示の場合、その形が複雑で加工に手間と時間を要することと、この種の注文は五月の節句時期に合わせて集中すること等により実際には加工スケジュールの面で注文に応え切れないからである。
【先行技術文献】
【特許文献】
【０００４】
【特許文献１】特開２００１−３２１２５４号公報
【特許文献２】実用新案登録第３０５７８４５号公報
【特許文献３】実用新案登録第３０６２８２０号公報
【特許文献４】実用新案登録第３１５９１６２号公報
【発明の概要】
【発明が解決しようとする課題】
【０００５】
本発明はこのような実情を考慮してなされたものであって、従来、共通の掛張基材に名前と家紋とを刺繍していた手法を見直し、家紋等の紋章表示については別途刺繍を集中的に行って紋章単体を作成することにより、製造作業効率を上げ、前記要請に応え得るようにした新規な記念用旗掛物の開発を技術課題とした。
【課題を解決するための手段】
【０００６】
まず請求項１記載の記念用旗掛物は、
掛張基材に対し、注文に応じた固有の名文字表示と、紋章表示とが設けられた旗掛物であって、
前記紋章表示は、掛張基材とは別体の紋章基材に紋章刺繍を施した紋章単体の表面に形成され、
この紋章単体が掛張基材に対し、積層固着部において、固定張り付けされていることを特徴として成るものである。
【０００７】
また請求項２記載の記念用旗掛物は、前記請求項１記載の要件に加え、
前記積層固着部は、掛張基材を長手方向に巻き取り易くした巻取誘導構造を具えていることを特徴として成るものである。
【０００８】
また請求項３記載の記念用旗掛物は、前記請求項２記載の要件に加え、
前記巻取誘導構造は、掛張基材の巻取方向に直交する方向に沿った接合弱化部を有するものであることを特徴として成るものである。
【０００９】
また請求項４記載の記念用旗掛物は、請求項１から３のいずれか１項記載の要件に加え、
前記積層固着部は、接着剤による固着が図られていることを特徴として成るものである。
【００１０】
また請求項５記載の記念用旗掛物の製造方法は、
掛張基材に対し、注文に応じた固有の名文字表示と紋章表示とを形成した旗掛物を製造する方法であって、
掛張基材に対し、まず名文字表示を設け、
一方、別途紋章表示を掛張基材とは別体の紋章基材に紋章刺繍を施すことにより紋章単体を形成し、次いでこの紋章単体を掛張基材上の適宜の位置に固定張り付けしたことを特徴として成るものである。
【００１１】
また請求項６記載の記念用旗掛物の製造方法は、前記請求項５記載の要件に加え、
前記紋章単体を掛張基材上に固定張り付けするにあたっては、接着剤を用い、且つ接着剤の形成範囲は、紋章単体の接着面全面ではなく、一部に接合弱化部を現出させる状態とすることを特徴として成るものである。
【発明の効果】
【００１２】
まず請求項１または５記載の発明によれば、紋章表示は紋章刺繍を施した紋章単体として、掛張基材とは別に形成されているから、比較的製造に手間の掛かる紋章刺繍をあらかじめ製造しておいて、これを掛張基材に固定張り付けするだけの作業によって記念用旗掛物が製造でき、結果的に時期的に集中しがちで、且つ手間の掛かる製造（旗掛物の製造）が効率的に行い得る。
【００１３】
また請求項２記載の発明によれば、紋章単体を掛張基材に対し、固定張り付けすることにより、その部位の厚みが増し、旗掛物として巻き取り保管するときに、巻き取りしにくくなりがちであるが、巻取誘導構造を具えることにより、その巻き取りが円滑にでき、従来と比べて、違和感のない記念用旗掛物が構成し得る。
【００１４】
また請求項３記載の発明によれば、巻取誘導構造は、掛張基材の巻取方向に沿った接合弱化部を有するものであるから、巻取誘導構造が比較的容易に形成できる。
【００１５】
また請求項４または６記載の発明によれば、積層固着部は、接着剤による固着であるから、アイロンプレス等の比較的簡易な手法によって、効率的に紋章単体を掛張基材に接着することができる。
【図面の簡単な説明】
【００１６】
【図１】本発明の記念用旗掛物の一例を床の間等に掛けた状態で示す斜視図（ａ）、並びにこの記念用旗掛物を保管のために巻き取って行く際の様子を示す斜視図（ｂ）、並びに記念用旗掛物の製造過程を段階的に示す説明図（ｃ）である。
【図２】掛張基材に張り付けた紋章表示部分を拡大して示す説明図である。
【図３】接合弱化部の種々の形態を示す説明図である。
【図４】記念用旗掛物を巻き取って行く際、接合弱化部によってスムーズに巻き取ることができる様子を示す説明図である。
【発明を実施するための形態】
【００１７】
本発明の実施の形態は、以下述べる実施例を好適な実施の形態とするものであり、更にこの技術思想に基づき改変し得る種々の形態を含むものである。
【実施例】
【００１８】
以下本発明を図示の実施例に基づいて具体的に説明する。
なお、説明にあたっては本発明たる記念用旗掛物の基本構造（基本態様）についてまず説明し、その後、この記念用旗掛物の製造手順を示しながら、併せてその製造方法について説明する。
符号１は、本発明たる記念用旗掛物であって（以下、「旗掛物１」と略記する）、例えば五月の節句に武者人形等とともに床の間等に供える掛軸様のものである。その基本構成は、一例として図１（ａ）に示すように、まず上下に縦長の帯状素材である掛張基材２に対し、家紋等を表示する紋章表示３と、祝いを受ける男児等の名前を表示する名文字表示４とが設けられ、更にその上端に上軸５と、更にこの上軸５の両端に取り付けられた掛緒６及び掛緒６の上部中心に設けられる巻緒７とを具えている。なお、掛緒６や巻緒７は例えば紐などで形成されることが多く、特に掛緒６は旗掛物１を床の間等に掛けるための部位であり、巻緒７は旗掛物１を巻き取って保管する際に旗掛物１がほぐれないように固定するためのものである。因みに、これら掛緒６や巻緒７は、全体としていわゆる啄木と称されるものである。
また、掛張基材２の下端には下軸８が設けられ、ここには必要に応じて、いわゆるオモリ代わりの風鎮（図示略）を具えることがある。
【００１９】
以下、これら各部について詳細に説明する。
まず、掛張基材２は、適宜の布、例えば絹布等を和紙の基材に張り付けて構成するような台張２１に対し、一例として実際の紋章表示３、名文字表示４等を形成する本紙２２が張り付けられる構成となっている。もちろん掛張基材２は、台張２１のみで構成され、このものに直接、紋章表示３や名文字表示４が形成される場合もある。ここで本実施例では、本紙２２としてフェルト地を用いるものである。そして、この本紙２２に対して（つまり本紙２２上に）、紋章表示３及び名文字表示４が形成されるとともに、一例としてその上下に縁起模様２３が構成される。
【００２０】
紋章表示３は、いわゆるワッペン状の紋章単体３０として形成され、前記掛張基材２における本紙２２の上方に張り付けられるものであり、紋章単体３０は、紋章基材３１が本紙２２と同様で且つ好ましくは同色のフェルト地等により構成される。そして、この紋章基材３１に対し、実質的に紋章表示３である紋章刺繍３２が形成されている。
ここで紋章単体３０は、掛張基材２に積層状態で固着されることから（いわゆる重ね張り）、当該部位を積層固着部３５とするものであり、一例として接着剤３６によって固着が図られる。因みに、接着剤３６としては、熱可塑性接着剤の適宜の素材が適用できるものであり、例えばポリエステル系、ウレタン系、ナイロン系等、適宜目的に合った素材が選択し得る。具体的には、例えば日本マタイ株式会社製ホットメルトフィルム（商品名「エルファン」）が接着剤３６の一例として挙げられる。
【００２１】
また、積層固着部３５は、巻取誘導構造を具えるものであり、この巻取誘導構造を実現するにあたり、本実施例では接着剤３６の作用範囲を工夫することによって、巻取誘導の作用を発揮させている。すなわち、接着剤３６を、紋章単体３０における紋章基材３１の裏面（つまり掛張基材２に接着される面）に設けるにあたり接合弱化部３７を形成する。具体的には、一例として図３（ａ）・図４に示すように、接合弱化部３７は、旗掛物１を巻き取り状態で保管する場合の巻き取りを行い易くするための巻取誘導構造である。このため接着剤３６は、掛張基材２の巻取方向（長手方向）に直交する方向（掛張基材２の幅方向であり、下軸８に沿う方向）に縞状に形成されることが望ましく、結果的に接合弱化部３７とは、接着剤３６が設けられずに排除された部位となる。
なお、積層固着作用は、接着剤３６が設けられた部位で発現されるものの、積層固着部３５とは、この接着剤３６の設けられた部位を限定的に指称するものではなく、接合弱化部３７を含んだ、言わば紋章単体３０が固着される範囲を総称する。
【００２２】
また、接合弱化部３７の構成にあたっては、必ずしもこのような縞状（接着剤３６の縞状形成）に限定されるものではなく、例えば図３（ｂ）に示すように、掛張基材２の幅方向に形成された接着剤３６を一部破断するような形態としてもよい。なお、紋章単体３０を掛張基材２に固定した後、時間の経過に伴い、その周縁（周囲）から紋章単体３０が徐々に剥がれてくること（いわゆる「めくれ」）を防止するには、例えば同図に併せ示すように、紋章単体３０の少なくとも周縁に縁取り状に接着剤３６を形成しておき、当該部位を掛張基材２に確実に接着させておくことが好ましい。
更にまた、接合弱化部３７の構成にあたっては、例えば図３（ｃ）に示すように、接着剤３６の素材シート等の段階でドット状に打ち抜いておき、これを接合弱化部３７とすることも可能である。
【００２３】
また、名文字表示４については、例えば掛張基材２に直接、あるいはこのものが台張２１と本紙２２とで構成されているときには、本紙２２に対し刺繍あるいは和紙等の切り抜き文字、あるいは直接和紙等に形成することが可能である。
【００２４】
本発明の旗掛物１は、以上述べたような基本構造を有するものであり、以下のように製造する。
既に述べたように、この種の旗掛物１は、注文時期が特定の時期に集中するため、最も手間の掛かる紋章表示３については、あらかじめ比較的多く用いられている幾つかの家紋等を、図１（ｃ）-(i)に示すように紋章基材シート３１Ａ上に集約的に刺繍形成しておき、このものを注文があった都度、その紋章基材シート３１Ａから紋章刺繍３２の周囲で切り取るようにして紋章単体３０を得る。
【００２５】
一方、掛張基材２にあっては、このものが台張２１と本紙２２とによって構成されているときには概ね本紙２２に対し、まず注文に応じた名文字表示４を刺繍等により施す。なお、縁起模様２３については、幾つかの趣向に応じた図柄を設けておく。例えば五月の節句（男児の節句）等を考慮すると、鯉が天に昇り竜（龍）に変わるという縁起伝説から鯉の図形、及び竜の図形等を施すことが行われている。
【００２６】
このような本紙２２の加工作業（掛張基材２の製作作業）としては、要は注文に応じた名文字表示４のみで作業が完了する。
一方、別途、あらかじめ用意することのできる紋章単体３０を掛張基材２における本紙２２に積層固着するには、例えば紋章単体３０に対し、まず接着剤３６を形成するものであり、実際には、剥離材を伴った接着剤シートを、紋章単体３０における紋章基材３１の接着面に設け、その後、アイロン加熱等により両者の接着を図る。もちろん、この作業自体は、紋章表示３の表面からではなく、本紙２２を裏返してその裏面からアイロン加熱することが、接着剤３６の溶融を効果的に促す点で好ましい。
【００２７】
〔他の実施例〕
本発明は以上述べた実施例を一つの基本的な技術思想とするものであるが、更に次のような改変が考えられる。
まず、掛張基材２に対して紋章単体３０を固定するにあたって、上述した基本の実施例では、最も現実的な接着剤３６を用いる手法について述べたが、例えば紋章刺繍３２と同色の縫糸等を適用して、紋章単体３０を本紙２２に対し、縫い込むような形で固定しても、もとより差し支えない。要は、名文字表示４が形成される掛張基材２に対し、紋章単体３０が別途提供されることが、本発明の基本的な技術思想であり、その接着手法は、問わない。また、このような縫い込みの場合、接合部を掛張基材２の幅方向に、集中させることにより、接合弱化部３７を形成し得るものである。
更にまた、図示は省略するが、本発明の旗掛物１は、五月の男児用節句（祝儀用掛物）とする他、昇り旗等の形式のものであってもよく、あるいは横長状に用いるペナント等の形態としても適用し得るものであり、特許請求の範囲に記載する旗掛物とは、これらの総称である。
また、名文字表示４についても個人の名前の他、例えばスポーツチーム名等であってもよいし、また紋章表示３についてもチームエンブレム等を適用することもできる。また、これ以外に観光地での記念土産用としてのペナント等の場合、例えば旧地名（○○藩、△△国（くに））等の名文字表示４を施し、更に紋章表示３としては、旧藩主の家紋等を描くこともできる。
【符号の説明】
【００２８】
１      旗掛物（記念用旗掛物）
２      掛張基材
３      紋章表示
４      名文字表示
５      上軸
６      掛緒
７      巻緒
８      下軸
２      掛張基材
２１    台張
２２    本紙
２３    縁起模様
３      紋章表示
３０    紋章単体
３１    紋章基材
３１Ａ  紋章基材シート
３２    紋章刺繍
３５    積層固着部
３６    接着剤
３７    接合弱化部
【図１】
2017099454.tif 000003
【図２】
2017099454.tif 000004
【図３】
2017099454.tif 000005
【図４】
2017099454.tif 000006